(57)【要約】【課題】スーパーマーケットの惣菜調理場などに設置して使用するのに適した昇降棚を提案すること。【解決手段】家屋内の天井面１に取付固定する天井取付枠部３と、天井面１に連設する壁面２に取付固定する壁取付枠部４と、この壁取付枠部４を固定する壁面２から正面側へ突設し天井取付枠部３と壁取付枠部４の夫々の左右に位置する側枠部５とを備えた取付枠体Ｗ内に収納棚体Ｔを配設し、この収納棚体Ｔの左右側部に支持腕体６を回動自在に枢着し、この各支持腕体６の先端部を取付枠体Ｗの左右の側枠部５に夫々回動自在に枢着して、この支持腕体６を介して収納棚体Ｔが取付枠体Ｗ内に配設する構成とした昇降棚。【選択図】図１
0003139075.tif 000002
【実用新案登録請求の範囲】
【請求項１】
家屋内の天井面に取付固定する天井取付枠部と、天井面に連設する壁面に取付固定する壁取付枠部と、この壁取付枠部を固定する壁面から正面側へ突設し前記天井取付枠部と壁取付枠部の夫々の左右に位置する側枠部とを備えた取付枠体内に収納棚体を配設し、この収納棚体の左右側部に支持腕体を回動自在に枢着し、この各支持腕体の先端部を前記取付枠体の左右の側枠部に夫々回動自在に枢着して、この支持腕体を介して収納棚体が取付枠体内に配設する構成とすると共に、この収納棚体の前面下部に設けた引き出し用取手を掴んで取付枠体に対し収納棚体を手前に引き出すと、前記支持腕体の回動によりこの収納棚体を取付枠体内からこの取付枠体よりも手前側下方へ下がった位置に引き出し配設し得るように構成したことを特徴とする昇降棚。
【請求項２】
前記取付枠体は、前記天井取付枠部と前記壁取付枠部と前記各側枠部とが互いに略直交状態に並設して成る枠形状に形成して、この天井取付枠部を天井面に固定すると共に、壁取付枠部を壁面に固定すると、壁面の正面側に左右の側枠部が突設配設する構成としたことを特徴とする請求項１記載の昇降棚。
【請求項３】
前記引き出し用取手は、高さ調整手段を介して前記収納棚体の前面下部に対し高さ調整可能に設けたことを特徴とする請求項１，２のいずれか１項に記載の昇降棚。
【請求項４】
前記収納棚体の前面部に、この収納棚体内に収納した収納物の種類や名称などを表示したラベルを展示し得るラベル展示部を設けるか若しくはラベルを貼付し得るラベル貼付スペースを設けたことを特徴とする請求項１〜３のいずれか１項に記載の昇降棚。
【考案の詳細な説明】
【技術分野】
【０００１】
本考案は、例えば、スーパーマーケットの惣菜調理場などに設置して使用するのに適した昇降棚に関するものである。
【背景技術】
【０００２】
スーパーマーケットなどの食品を取り扱う小売店では、買ってすぐ食べられる商品や、少し手を加えるだけで食べられる商品の需要が高く、近年は様々なニーズに答えられるようにと品揃えも非常に豊富になっている。
【０００３】
しかしながら、このような品揃えの多種多様化に伴って、包装用トレーにも様々な色・形・大きさのものが必要となっており、惣菜調理場などでは、これらの多種多様な包装用トレーのストック場所が足りず、高くて手の届きづらい棚の上などにストックせざるを得ない状況が往々にして発生している。
【０００４】
そして、包装用トレーを高いところにストックしてしまうと、必要となったときには踏み台などを使用して取り出さなければならないが、調理場の足元が滑りやすいために作業者の落下事故を招いてしまうこともあった。
【考案の開示】
【考案が解決しようとする課題】
【０００５】
本考案は、このような現状に鑑み、例えばスーパーマーケットの惣菜調理場などの壁面にも、この壁面と天井面とを利用して強固に設置固定でき、この設置固定した昇降棚を利用して普段は壁面の高いところに邪魔にならないように包装用トレーなどを収納しておくことができ、収納物が必要な時には踏み台などを使用することなく収納棚体を手前側下方に引き出して簡単に取り出すことができる極めて実用性に秀れた昇降棚を提案するものである。
【課題を解決するための手段】
【０００６】
添付図面を参照して本考案の要旨を説明する。
【０００７】
家屋内の天井面１に取付固定する天井取付枠部３と、天井面１に連設する壁面２に取付固定する壁取付枠部４と、この壁取付枠部４を固定する壁面２から正面側へ突設し前記天井取付枠部３と壁取付枠部４の夫々の左右に位置する側枠部５とを備えた取付枠体Ｗ内に収納棚体Ｔを配設し、この収納棚体Ｔの左右側部に支持腕体６を回動自在に枢着し、この各支持腕体６の先端部を前記取付枠体Ｗの左右の側枠部５に夫々回動自在に枢着して、この支持腕体６を介して収納棚体Ｔが取付枠体Ｗ内に配設する構成とすると共に、この収納棚体Ｔの前面下部に設けた引き出し用取手７を掴んで取付枠体Ｗに対し収納棚体Ｔを手前に引き出すと、前記支持腕体６の回動によりこの収納棚体Ｔを取付枠体Ｗ内からこの取付枠体Ｗよりも手前側下方へ下がった位置に引き出し配設し得るように構成したことを特徴とする昇降棚に係るものである。
【０００８】
また、前記取付枠体Ｗは、前記天井取付枠部３と前記壁取付枠部４と前記各側枠部５とが互いに略直交状態に並設して成る枠形状に形成して、この天井取付枠部３を天井面１に固定すると共に、壁取付枠部４を壁面２に固定すると、壁面２の正面側に左右の側枠部５が突設配設する構成としたことを特徴とする請求項１記載の昇降棚に係るものである。
【０００９】
また、前記引き出し用取手７は、高さ調整手段８を介して前記収納棚体Ｔの前面下部に対し高さ調整可能に設けたことを特徴とする請求項１，２のいずれか１項に記載の昇降棚に係るものである。
【００１０】
また、前記収納棚体Ｔの前面部に、この収納棚体Ｔ内に収納した収納物の種類や名称などを表示したラベル10を展示し得るラベル展示部を設けるか若しくはラベル10を貼付し得るラベル貼付スペース９を設けたことを特徴とする請求項１〜３のいずれか１項に記載の昇降棚に係るものである。
【考案の効果】
【００１１】
本考案は上述のように構成したから、家屋内の天井面と壁面との二面を利用して取付枠体を強固に取付固定できて耐荷重性の高い昇降棚を実現でき、この耐荷重性の高い昇降棚を利用して多くの収納物を普段は邪魔にならない高い位置に収納しておくことができ、収納物を取り出したい時には、収納棚体を手前側下方へ引き出して簡単に取り出しできることになる。
【００１２】
また、本考案は、天井面と壁面とが連設している箇所であれば強固に設置固定可能であるため、例えば、スーパーマーケットの惣菜調理場などでは、包装用トレーなどが多種多様に存在していて、これらのストック場所の確保が大きな問題となっているが、この惣菜調理場の壁面と天井面とを利用して複数の本昇降棚を並設状態に設置固定することもでき、このようにすることにより多大な収納スペースを追加確保することができるので、このストック場所不足を解消できると共に、滑りやすい足元（床）に踏み台などを設置せずとも、収納棚体を下方へ引き出して包装用トレーなどを安全に取り出しできることになるなど、このような用途には極めて有用となる実用性に秀れた昇降棚となる。
【００１３】
また、請求項２記載の考案においては、略直角に連設する天井面と壁面に対して強固に取付固定可能で且つ非常に強度の高い取付枠体を設計実現可能となるなど一層実用性に秀れた構成の昇降棚となる。
【００１４】
また、請求項３記載の考案においては、どのような高さに本昇降棚が設置固定された場合であっても、引き出し用取手を操作しやすい高さ位置に調整することができる一層実用性に秀れた構成の昇降棚となる。
【００１５】
また、請求項４記載の考案においては、収納棚体に収納したものが何かをラベル展示部若しくはラベル貼付スペースにラベル表示できるので、収納物の取り扱いを一層容易に行うことができる一層実用性に秀れた構成の昇降棚となる。
【考案を実施するための最良の形態】
【００１６】
好適と考える本考案の実施形態（考案をどのように実施するか）を、図面に基づいて本考案の作用を示して簡単に説明する。
【００１７】
取付枠体Ｗを、その天井取付枠部３を家屋内の天井面１に取付固定し、壁取付枠体４を壁面２に取付固定する。
【００１８】
すると、収納棚体Ｔを内部に配設した取付枠体Ｗが天井面１付近の壁面２の高い位置に固定され、この収納棚体Ｔの前面下部に設けた引き出し用取手７を掴んで取付枠体Ｗに対し収納棚体Ｔを手前に引き出すと、収納棚体Ｔの左右側部と取付枠体Ｗの左右の側枠部５とを連結する各支持腕体６の回動によりこの収納棚体Ｔを取付枠体Ｗ内からこの取付枠体Ｗよりも手前側下方へ下がった位置に引き出し配設することができる。
【００１９】
従って、収納棚体Ｔに物を収納しておくことで、収納物を普段は邪魔にならない高い位置に収納しておくことができ、収納物を取り出したい時には、踏み台などを用いることなく収納棚体Ｔを手前側下方へ引き出して簡単に取り出すことができる。
【００２０】
また、本考案は、取付枠体Ｗを天井面１とこの天井面１に連設する壁面２との二面に対して固定するため、例えば壁面２一面だけに対して固定するような構成に比べて取付強度が非常に強固となり、耐荷重性が高い。
【００２１】
そのため、この収納棚体Ｔには、多量の収納物を収納可能であって実用的であると共に、横幅や高さや奥行きのある大型で重量のある収納棚体を採用することも可能で、収納力の高い昇降棚を設計実現可能となる。
【００２２】
また、本昇降棚は、天井面１と壁面２とが連設している箇所であれば設置固定可能であるため、図１に示すように複数の本昇降棚を広範囲にわたって並設状態に設置固定することも可能で、収納力の高い昇降棚群を構成することもできる。
【００２３】
即ち、例えばスーパーマーケットの惣菜調理場などの壁面には、空いているスペースも多いが、この空いている壁面と天井面とを利用して複数の本昇降棚を並設状態に設置固定すれば、多大な収納スペースを追加確保することができる。そして、このような現場では、惣菜の包装用トレーなどが多種多様に存在していて、これらのストック場所の確保が大きな問題となっているが、このストック場所不足を解消できると共に、滑りやすい足元（床）に踏み台などを設置せずとも、収納棚体Ｔを下方へ引き出して包装用トレーなどを安全に取り出しできるので非常に実用的となり、このような用途には極めて有用となる。
【００２４】
また、例えば、前記取付枠体Ｗは、前記天井取付枠部３と前記壁取付枠部４と前記各側枠部５とが互いに略直交状態に並設して成る枠形状に形成して、この天井取付枠部３を天井面１に固定すると共に、壁取付枠部４を壁面２に固定すると、壁面２の正面側に左右の側枠部５が突設配設する構成とすれば、略直角に連設する天井面１と壁面２とに対して確実に強固に取付固定可能で且つ天井取付枠部３と壁取付枠部４と各側枠部５とが互いに略直交状態で支え合った構成の非常に強度の高い取付枠体Ｗを設計実現可能となり、一層実用的となる。
【００２５】
また、例えば、前記引き出し用取手７は、高さ調整手段８を介して前記収納棚体Ｔの前面下部に対し高さ調整可能に設ければ、本昇降棚は、天井面１にも固定する構造上、設置現場の天井面１の高さによって様々な高さに設置固定されることが想定されるが、どのような高さに設置固定された場合であっても、高さ調整手段８により引き出し用取手７を操作しやすい高さ位置に調整することができるので、実用的である。
【００２６】
また、例えば、前記収納棚体Ｔの前面部に、この収納棚体Ｔ内に収納した収納物の種類や名称などを表示したラベルを展示し得るラベル展示部を設けるか若しくはラベルを貼付し得るラベル貼付スペース９を設ければ、収納棚体Ｔに収納したものが何かをラベル展示部若しくはラベル貼付スペース９にラベル表示できるので、収納物の取り扱いが容易に行われることになり、例えば、スーパーマーケットの惣菜調理場などの多種多様な収納物の収納が予想されるような業務での使用にあたっては、このラベルによる収納物の表示により作業性の向上が見込まれ、一層実用的となる。
【実施例】
【００２７】
本考案の具体的な実施例について図面に基づいて説明する。
【００２８】
本実施例の昇降棚は、家屋内の天井面１に取付固定する天井取付枠部３と、天井面１に連設する壁面２に取付固定する壁取付枠部４と、この壁取付枠部４を固定する壁面２から正面側へ突設し前記天井取付枠部３と壁取付枠部４の夫々の左右に位置する側枠部５とを備えた取付枠体Ｗと、この取付枠体Ｗ内に収納配設可能な大きさ寸法を有する収納棚体Ｔとから成り、この取付枠体Ｗと収納棚体Ｔとを支持腕体６で連結した構成としている。
【００２９】
具体的には、本実施例の取付枠体Ｗは、図１，図２に示すように横長の直方体形状をなす枠形状に形成して、上方に位置する枠部分を前記天井取付枠部３とし、後方に位置する枠部分を前記壁取付枠部４とし、左右側方に位置する枠部分を前記各側枠部５とし、下方に位置する枠部分を底枠部11としている。
【００３０】
即ち、天井取付枠部３と壁取付枠部４と各側枠部５と底枠部11とが互いに略直交状態に並設して支え合う強度の高い枠形状に形成している。
【００３１】
また、この取付枠体Ｗの天井取付枠部３の天井面１への取付固定構造は、図２に示すように天井取付枠部３の左右方向に架設される前後の各桟杆の左右位置にボルト孔12を貫通形成し、図３に示すように天井面１（天井材）の裏側に存する建築用横材17（例えば、野縁受17）から吊ボルト13を垂下させて天井面１を貫通させ、この天井面１を貫通する吊ボルト13先端を前記ボルト孔12に挿通した上で、ナット14止めした固定構造としている。図中符号26は座金である。
【００３２】
一方、壁取付枠部４の壁面２への取付固定構造は、図２に示すように壁取付枠部４に桟杆４Ａを数本（図面では３本）横架し、この各桟杆４Ａの夫々の左右位置にネジ孔15を貫通形成し、図３に示すようにこの各ネジ孔15に挿通したドリルネジ16を壁面２（壁材）の裏側に存する建築用縦材18（例えば、スタッド18）にネジ止めした固定構造としている。
【００３３】
従って、この取付枠体Ｗの天井取付枠部３を天井面１に固定すると共に、壁取付枠部４を壁面２に固定して強固な二面固定を行うと、壁面２の正面側に、この壁面２に対して左右の側枠部５と底枠部11とが略直角に突設配設する構成としている。
【００３４】
また、本実施例の収納棚体Ｔは、図１，図６に示すように上方と前方とが開口する箱型体であって、底面と背面とを網状に形成した構成としている。
【００３５】
また、この収納棚体Ｔは、前記取付枠体Ｗが天井面１と壁面２との二面に対して強固に固定される構成であるため、重量のある大型のものを採用可能である。本実施例では、奥行き寸法が４００ｍｍ以上（例えば、４３０ｍｍ程度）もある大型の収納棚体Ｔを採用している。この収納棚体Ｔの奥行き寸法設定は、例えば、図１に示すように１００枚入りの包装用トレーなどの長さのある収納物を横に寝かせて収納棚体Ｔの奥行き方向に収納できるようにするためである。即ち、本実施例の収納棚体Ｔは、スーパーマーケットの惣菜調理場などで包装用トレーを収納するのに特に適した構成としている。
【００３６】
また、この収納棚体Ｔの前面下部には、引き出し用取手７を設けている。
【００３７】
また、この引き出し用取手７は、高さ調整手段８を介して前記収納棚体Ｔの前面下部に対し高さ調整可能に設けている。
【００３８】
具体的には、引き出し用取手７は、一本の線材を略逆凸字形を呈する状に折曲形成した構成とし、図５に示すようにこの引き出し用取手７を構成する線材の両側部分を収納棚体Ｔの前面側の左右側壁部27の内面に二本の取付ネジ19とナット20で固定する構成とすると共に、この引き出し用取手７の両側部分には取付ネジ19を通すネジ穴21を四箇所設けて、取付ネジ19を挿通するこのネジ穴21を選択することにより、図６に示すように引き出し用取手７を上下三段に高さ変更し得る前記高さ調整手段８を構成している。
【００３９】
また、この収納棚体Ｔの下部前面部を鉛直平面に形成して、この鉛直平面をラベル貼付スペース９とし、このラベル貼付スペース９に収納棚体Ｔ内に収納した収納物の種類や名称などを表示したラベル10を貼付できるようにしている（図１参照。）。
【００４０】
また、本実施例の支持腕体６を介した収納棚体Ｔと取付枠体Ｗとの連結構造は、収納棚体Ｔの左右側部に夫々二本ずつ支持腕体６を回動自在に枢着し、この各支持腕体６の先端部を前記取付枠体Ｗの左右の側枠部５に夫々回動自在に枢着して、この支持腕体６を介して収納棚体Ｔが取付枠体Ｗ内に配設する構成とすると共に、この収納棚体Ｔの前面下部の引き出し用取手７を掴んで取付枠体Ｗに対し収納棚体Ｔを手前に引き出すと、図１，図４に示すように前記支持腕体６の回動によりこの収納棚体Ｔを取付枠体Ｗ内からこの取付枠体Ｗよりも手前側下方へ下がった位置に引き出し配設し得るように構成している。
【００４１】
更に詳しくは、各支持腕体６の先端部に棚側連結体22を枢着する一方、取付枠体Ｗの左右夫々の側枠部の下部内側に枠側連結体23を固定し、この棚側連結体22を連結ネジ24を用いて枠側連結体23に連結することで、各支持腕体６の先端部を棚側連結体22，枠側連結体23を介して側枠部５に回動自在に枢着した構成としている。
【００４２】
また、左右の棚側連結体22間に架設桟28を架設する一方、図２〜図４において収納棚体Ｔに対し前側に存する左右の各支持腕体６間に横架桟29を架設し、この架設桟28と横架桟29とに弾性体25（バネ）を架設して、この弾性体25により取付枠体Ｗ内から収納棚体Ｔを引き出しする際に引き出し抵抗が付与されて、勢い良く収納棚体Ｔが前方へ飛び出すことのない構成としている。
【００４３】
尚、本考案は、本実施例に限られるものではなく、各構成要件の具体的構成は適宜設計し得るものである。
【図面の簡単な説明】
【００４４】
【図１】本実施例の使用状態を示す説明斜視図である。
【図２】本実施例の天井面と壁面への固定構造を示す説明分解斜視図である。
【図３】本実施例の天井面と壁面への固定状態を示す説明図である。
【図４】図３の状態から収納棚体を引き出した状態を示す説明図である。
【図５】本実施例の高さ調整手段を示す部分拡大説明斜視図である。
【図６】本実施例の引き出し用取手の高さ調整作動を示す説明正面図である。
【符号の説明】
【００４５】
１  天井面
２  壁面
３  天井取付枠部
４  壁取付枠部
５  側枠部
６  支持腕体
７  引き出し用取手
８  高さ調整手段
９  ラベル貼付スペース
10  ラベル
Ｔ  収納棚体
Ｗ  取付枠体
【図１】
0003139075.tif 000003
【図２】
0003139075.tif 000004
【図３】
0003139075.tif 000005
【図４】
0003139075.tif 000006
【図５】
0003139075.tif 000007
【図６】
0003139075.tif 000008